(57)【要約】  ペースト状物質のスティック(16)用のケース(10)は、基部(12)と、キャップ(14)と、を含む。基部(12)およびキャップ(14)はそれぞれ、長手方向軸(X)の内側本体(22、34)と、外側本体(24、36)と、を含む。基部(12)およびキャップ(14)はそれぞれ、内側本体(22、34)と外側本体(24、36)との間に位置付けられた少なくとも2つの永久磁化部材(44)を支持し、永久磁化部材(44)の各々は、前記内側本体(22、34)によって支持された軸方向止め具手段(28、38)と、長手方向軸(X)の円筒形リング(32、42)と、の間に軸方向に保持され、前記円筒形リングは反磁性体または強磁性体を含み、かつ前記外側本体(24、36)と前記内側本体(22、34)との間に配置されている。
2019524372.tif 000002
【特許請求の範囲】
【請求項１】
ペースト状物質のスティック(16)用のケース(10)であって、
前記ペースト状物質のスティック(16)を受容するための基部(12)と、
キャップ(14)と、を含み、
前記基部(12)およびキャップ(14)はそれぞれ、
長手方向軸(X)の内側本体(22、34)と、
半径方向寸法が前記内側本体(22、34)の半径方向寸法より大きい、同じ長手方向軸(X)の外側本体(24、36)と、を含み、
前記基部(12)およびキャップ(14)はそれぞれ、前記内側本体(22、34)と前記外側本体(24、36)との間に位置付けられた少なくとも2つの永久磁化部材(44)を支持し、
永久磁化部材(44)の各々は、前記内側本体(22、34)によって支持された軸方向止め具手段(28、38)と、長手方向軸(X)の円筒形リング(32、42)と、の間に軸方向に保持され、前記円筒形リングは反磁性体または強磁性体を含み、かつ前記外側本体(24、36)と前記内側本体(22、34)との間に配置されており、
前記基部(12)によって支持された永久磁化部材(44)の各々は、前記基部(12)によって支持された連続する前記永久磁化部材の面と反対極性である面を有し、かつ前記ケース(10)が閉位置にあるときに前記キャップ(14)によって支持された前記2つの永久磁化部材(44)に面する面と反対極性である面を有するように位置付けられ、
前記基部(12)およびキャップ(14)のうちの少なくとも一方の前記内側本体(22、34)は、前記永久磁化部材(44)を半径方向位置で保持するための少なくとも1つのリブ(30、40)を含むことを特徴とする、ケース(10)。
【請求項２】
前記軸方向止め具手段(28、38)は、フランジ(28、38)を含む、請求項1に記載のケース(10)。
【請求項３】
前記フランジ(28、38)は、前記内側本体(22、34)上の軸方向端部位置にある、請求項2に記載のケース(10)。
【請求項４】
前記リブ(30、40)は、前記フランジ(28、38)から軸方向に延びる、請求項2または3に記載のケース(10)。
【請求項５】
前記基部(12)およびキャップ(14)のうちの少なくとも一方の前記円筒形リング(32、42)は、前記内側本体(22、34)上に圧着される、請求項1から4のいずれか一項に記載のケース(10)。
【請求項６】
前記基部(12)およびキャップ(14)のうちの少なくとも一方の前記円筒形リング(32、42)は、前記内側本体(22、34)に接着される、請求項1から5のいずれか一項に記載のケース(10)。
【請求項７】
前記基部(12)およびキャップ(14)のうちの少なくとも一方は、概ね円筒形の形状を有する、請求項1から6のいずれか一項に記載のケース(10)。
【請求項８】
前記基部(12)およびキャップ(14)のうちの少なくとも一方の前記外側本体(24、36)は、前記内側本体(22、34)の軸方向寸法より大きい軸方向寸法を有する、請求項1から7のいずれか一項に記載のケース(10)。
【請求項９】
前記基部(12)およびキャップ(14)のうちの少なくとも一方の前記外側本体(24、36)は、前記内側本体(22、34)に接着される、請求項1から8のいずれか一項に記載のケース(10)。
【請求項１０】
前記基部(12)およびキャップ(14)のうちの少なくとも一方によって支持された前記2つの永久磁化部材(44)は、互いに対して直径方向に対向する位置にある、請求項1から9のいずれか一項に記載のケース(10)。
【請求項１１】
前記基部(12)およびキャップ(14)はそれぞれ、好ましくは周縁の周りに規則正しく配置された、4つの永久磁化部材(44)を含む、請求項1から10のいずれか一項に記載のケース(10)。
【請求項１２】
前記永久磁化部材(44)は、磁石である、請求項1から11のいずれか一項に記載のケース(10)。
【請求項１３】
前記反磁性体または強磁性体は、鉄を含む、請求項1から12のいずれか一項に記載のケース(10)。
【請求項１４】
前記ペースト状物質のスティック(16)は、口紅のスティックである、請求項1から13のいずれか一項に記載のケース(10)。
【請求項１５】
請求項1から14のいずれか一項に記載のケース(10)を組み立てる方法であって、
前記基部(12)およびキャップ(14)のそれぞれの前記内側本体(22、34)および外側本体(24、36)が成型されるステップと、
前記永久磁化部材(44)が、それぞれの前記内側本体(22、34)に沿ってスライドさせられ、前記基部(12)およびキャップ(14)のそれぞれのフランジ(28、38)の上で静止させられるステップと、
前記円筒形リング(32、42)が、前記基部(12)およびキャップ(14)のそれぞれの前記永久磁化部材(44)およびリブ(30、40)に長手方向においてもたれるまで、スライドさせられるステップと、
を少なくとも含む、方法。
【発明の詳細な説明】
【技術分野】
【０００１】
本発明は、ペースト状物質のスティック用の、より具体的には口紅チューブ用の、ケースに関する。
【背景技術】
【０００２】
ペースト状物質のスティック用のケースは、一般的に、ペースト状物質のスティックを受容するための基部と、キャップと、を含む。ケースは、ユーザがペースト状物質のスティックを展開させることができる開位置と、ケースがペースト状物質のスティックを封入するようにキャップおよび基部が接続される閉位置と、にくることができる。この最終位置では、ペースト状物質のスティックは、アクセスすることができず、保護されている。
【０００３】
ケースを閉位置に保持するため、例えば、第1および第2の永久磁化部材(permanently-magnetized member)をそれぞれ基部およびキャップ上に固定することが可能である。永久磁化部材間に及ぼされる引力は、ケースを閉位置に維持するのに十分であると共に、ケースを閉位置から開位置に移行させるためにユーザが基部とキャップとを容易に分離することができるように十分に適度である。
【０００４】
しかしながら、特に口紅チューブの場合、ケースは、1つまたは複数の特定の部材によって支持された1つまたは複数の装飾的パターンを含み得る。この場合、基部およびキャップのうちの一方は、部材を支持し、もう一方は、ケースが閉位置にあるときに部材を収容する1つもしくは複数の切り欠き、または基部とキャップとが合流するところにおける非円形断面の形状を含む。したがって、切り欠きの数によって、ケースが閉位置にあるときに基部およびキャップがとり得る相対位置の数が決まる。したがって、永久磁化部材は、この限られた数の相対位置を可能にしなければならない。
【０００５】
特許文献１（欧州特許第１０９５８７０号明細書）は、製品、特にペースト製品用の包装装置を開示しており、これは、基部と、キャップと、を含む。基部は、2つの磁気手段を有し、キャップも2つの磁気手段を有する。基部およびキャップによって支持された磁気手段は、ケースが閉位置にあるときに基部およびキャップは少ない数の位置をとることしか可能でないようになっている。これを達成するため、キャップは、それぞれ南北の極性の2つの面を有する、キャップにより支持された磁気手段の反対側に、それぞれ南北の極性の2つの面を有する磁気手段を支持している。よって、ユーザがケースを閉じると、磁気手段の反対極性の面は引き付けられ、同一極性の面は反発して、基部およびキャップの限られた数のみの相対位置が可能となる。
【０００６】
しかしながら、永久磁化部材を適切な位置に保持するには、基部およびキャップの複雑な形状が必要である。実際、ケースが閉位置にあるときは、相補的な磁気手段が互いに比較的近接していることが必要である。したがって、比較的複雑な幾何形状を有する磁気手段を収容するための本体が、基部およびキャップに設けられる。
【先行技術文献】
【特許文献】
【０００７】
【特許文献１】欧州特許第１０９５８７０号明細書
【発明の概要】
【発明が解決しようとする課題】
【０００８】
本発明の目的は、製造するのがより単純であるケースを提供することである。
【課題を解決するための手段】
【０００９】
このために、本発明は、ペースト状物質のスティック用のケースを提案するものであり、これは、ペースト状物質のスティックを受容するための基部と、キャップと、を含み、基部およびキャップはそれぞれ、長手方向軸(X)の内側本体と、最初の内側本体の半径方向寸法より半径方向寸法が大きい、同じ長手方向軸(X)の外側本体と、を含み、基部およびキャップはそれぞれ、内側本体と外側本体との間に位置付けられた少なくとも2つの永久磁化部材を支持し、永久磁化部材の各々は、内側本体によって支持された軸方向止め具手段と、長手方向軸(X)の円筒形リングと、の間に軸方向に保持され、前記円筒形リングは反磁性体または強磁性体を含み、かつ外側本体と内側本体との間に配置されており、基部によって支持された永久磁化部材の各々は、基部によって支持された連続する永久磁化部材の面と反対極性である面を有し、かつケースが閉位置にあるときにキャップによって支持された2つの永久磁化部材に面する面と反対極性である面を有するように位置付けられ、基部およびキャップのうちの少なくとも一方の内側本体は、永久磁化部材を半径方向の位置で保持するための少なくとも1つのリブを含むことを特徴とする。
【００１０】
半径方向の位置で保持するためのリブと、軸方向の位置で保持するためのリングとは、小型である。よって、永久磁化部材を確実に保持することが、小型の手段によって保証される。さらに、リングは、永久磁化部材の一方向への動きを防ぐ軸方向止め具を形成することのみを意図されているので、単純な幾何形状を有し得る。永久磁化部材が半径方向の位置および軸方向の位置の両方向において保持されるのを保証するためには別個の手段が使われる。したがって、これらの手段は、比較的単純な幾何形状を有し得る。したがって、ケースは、製造するのがより容易である。
【００１１】
好ましくは、軸方向止め具手段はフランジを含む。
【００１２】
フランジは小型である。
【００１３】
有利には、フランジは、内側本体上の軸方向端部位置にある。
【００１４】
よって、ケースが閉位置にあるとき、基部およびキャップによって支持された永久磁化部材は、比較的近接している。したがって、低強度の磁場を生成する、永久磁化部材を使用することが可能である。したがって、ケースは、製造するのに、より安価である。
【００１５】
一実施形態によると、リブは、フランジから軸方向に延びる。
【００１６】
この配置は小型である。
【００１７】
有利には、基部およびキャップのうちの少なくとも一方の円筒形リングは、内側本体上に圧着される。一実施形態によると、基部およびキャップの円筒形リングは、それぞれの内側本体上に圧着される。
【００１８】
好ましくは、基部およびキャップのうちの少なくとも一方の円筒形リングは、内側本体に接着される。一実施形態によると、基部およびキャップの円筒形リングは、それぞれの内側本体に接着される。
【００１９】
このような配置は、単純であり、リングを内側本体の周りにしっかりと保持する。
【００２０】
一実施形態によると、基部およびキャップのうちの少なくとも一方は、概ね円筒形の形状を有する。有利には、基部およびキャップは、概ね円筒形の形状を有する。
【００２１】
したがって、ケースは、概ね円筒形の形状を有する。
【００２２】
有利には、基部およびキャップのうちの少なくとも一方の外側本体は、内側本体の軸方向寸法より大きい軸方向寸法を有する。好ましくは、基部およびキャップの外側本体は、それぞれの内側本体の軸方向寸法より大きい軸方向寸法を有する。
【００２３】
したがって、外側本体は内側本体を保護する。
【００２４】
好ましくは、基部およびキャップのうちの少なくとも一方の外側本体は、内側本体に接着される。有利には、基部およびキャップの外側本体は、それぞれの内側本体に接着される。
【００２５】
よって、外側本体は、内側本体にしっかりと固定される。
【００２６】
好ましくは、基部およびキャップのうちの少なくとも一方によって支持された、2つの永久磁化部材は、互いに対して直径方向に対向する位置にある。
【００２７】
これにより、ケースを閉位置に保持する磁力が最大となる。
【００２８】
一実施形態によると、基部およびキャップはそれぞれ、好ましくは周縁の周りに規則正しく配置された、4つの永久磁化部材を含む。
【００２９】
したがって、永久磁化部材は、ケースを閉位置に保持するために、強い磁場を生成する必要はない。さらに、この配置により、キャップおよび基部の、2つの直径方向に対向する相対位置が可能となる。よって、例えば基部が装飾的パターンを有する特定の部材を支持する場合、直径方向に対向するただ2つの切り欠きが、キャップに設けられて、装飾的パターンを有する部材を収容する必要がある。よって、この構成により、ケースの2つの代替的な閉位置が定められる。
【００３０】
有利には、永久磁化部材は磁石である。
【００３１】
これは、永久磁化部材の単純な形態である。
【００３２】
好ましくは、反磁性体または強磁性体は、鉄を含む。
【００３３】
このような物質は、豊富であり、高価でない。
【００３４】
したがって、1つまたは複数の外側スリーブが内側本体、外側本体、永久磁化部材、および円筒形リングを保護するので、ケースはさらに強くなる。
【００３５】
有利には、ペースト状物質のスティックは、口紅のスティックである。
【００３６】
これから、以下の図面を用いて、本発明の実施形態を非限定的な実施例として説明する。
【図面の簡単な説明】
【００３７】
【図１Ａ】開位置にある本発明によるケースの正面図である。
【図１Ｂ】閉位置にある本発明によるケースの正面図である。
【図２】ケースから切り離された基部およびキャップの一部の斜視図である。
【図３Ａ】ケースから切り離されたキャップの一部の斜視図である。
【図３Ｂ】ケースから切り離された基部の一部の斜視図である。
【図４】組み立てられた基部およびキャップの一部の斜視図である。
【図５】基部およびキャップの概略表示である。
【発明を実施するための形態】
【００３８】
図1Aおよび図1Bは、本発明による口紅のケース10を示す。ケース10は、図1Aでは開位置で、図1Bでは閉位置で、示されている。
【００３９】
口紅のケース10は、基部12と、キャップ14と、を含む。ケース10は、概ね円筒形の形状を有し、長手方向軸(X)を有する。これは、遠位端部Dと近位端部Pとの間に延びる。ケース10の遠位端部Dは、ユーザがスティックを唇に当てているときにユーザの唇から最も遠い端部である。この説明の残り部分では、ケース10の要素を説明する際にも近位端部Pおよび遠位端部Dを参照する。閉位置にあるとき、ケース10は、ここでは口紅のスティックの形態で提示されている、ペースト状物質のスティック16を収容する。
【００４０】
基部12は、概ね円筒形の形状を有し、やはり長手方向軸(X)を有する。これは、ペースト状物質のスティック16が展開されることを可能にするために、近位端部に位置する横断方向円形開口部と、遠位端部における横断方向底部と、を含む。基部12は、ペースト状物質のスティック16を受容することが意図されている。この目的で、基部は中空であり、ペースト状物質のスティック16用のハウジングを形成する。基部12は、その近位端部Pの半径方向外側の周方向周辺部において、装飾的パターンを有する部材18を含む。ここで、装飾的パターンは、半径方向外側に延びる、隆起表面の形態である。代替的に、装飾的パターンは、隆起もしくは陥凹しておらず、書かれたパターンの形態である。
【００４１】
キャップ14は、概ね円筒形の形状を有し、やはり長手方向軸(X)を有する。図1Bで分かるように、ケース10が閉位置にあるとき、キャップ14は、遠位端部Dに位置する横断方向円形開口部と、近位端部Pにおける横断方向底部と、を含む。よって、キャップ14は、ケース10が閉位置にあるときにペースト状物質のスティック16用の保護ハウジングを形成する。
【００４２】
さらに、ケース10は、長手方向軸(X)を有する、中空で円筒形のグリップ部材17を含む。グリップ部材17は基部12に固定されている。グリップ部材17に対する、基部12の長手方向軸(X)を中心とした回転によって、ユーザは、展開機構により長手方向軸(X)に沿ってペースト状物質のスティック16を展開することができる。ペースト状物質のスティック16は、図1Aで見ることができるようにユーザがペースト状物質のスティック16を展開すると、グリップ部材17から展開され、また、ユーザがケース10を閉じることを望んだ場合、グリップ部材17によって半径方向が完全に囲まれるように後退する。
【００４３】
ここで、特に図2および図3Bを参照して、基部12をさらに詳細に説明する。
【００４４】
基部12は、内側本体22と、外側本体24と、を含む。内側本体22および外側本体24は、概ね円筒形の形状を有し、特に図1Aで見ることができるように、組み立てられたときにケース10の長手方向軸と一致する、長手方向軸(X)を有する。ケース10が組み立てられると、内側本体22および外側本体24の両方は、近位端部Pにおける円形開口部と、遠位端部Dにおける横断方向底部と、を有する。半径方向において、外側本体24の直径は、内側本体22の直径より大きい。よって、外側本体24の半径方向寸法は、内側本体22の半径方向寸法より大きい。さらに、図2で見ることができるように、外側本体24は、長手方向軸(X)に関連して、内側本体22の長さより長い長さを有する。よって、基部12の外側本体24は、内側本体22の軸方向寸法より大きい軸方向寸法を有する。
【００４５】
基部12の内側本体22は、部材18を支持し、部材18自体は、装飾的パターンを有する。部材18は、エッジが近位端部Pに位置する開口部を画定する、内側本体22の周方向周辺部によって支持される。
【００４６】
近位端部Pに位置する開口部を画定する周方向エッジ上では、内側本体22は、半径方向外側に延びるフランジ28を含む。よって、フランジ28は、内側本体22上の軸方向端部位置にある。フランジ28は、4つのリブ30をさらに含み、これらのリブは、内側本体22の遠位端部Dに向かって軸方向に延びる。各リブ30は、内側本体22の遠位端部Dから軸方向に見ると、「V」字型を有する。
【００４７】
フランジ28の直径は、基部12が組み立てられたときに、フランジ28の半径方向外側表面が外側本体24の半径方向内側表面と接触するようになっている。よって、内側本体22は、接着することによって外側本体24に固定される。このために、エッジが近位開口部Pを画定する、内側本体22の周方向周辺部は、半径方向外側表面上に接着剤ビードを含む。
【００４８】
基部12は、近位端部Pおよび遠位端部Dに円形開口部を含む、中空の円筒形リング32も含む。円筒形リング32は、長手方向軸(X)を含み、内側本体22の周りに固定される。円筒形リング32は、円筒形リング32が外側本体24の半径方向内壁と内側本体22との間に配置されるように、内側本体22の半径方向外壁上に配置される。
【００４９】
4つのリブ30は、円筒形リング32の軸方向止め具を形成する。さらに、円筒形リング32は、内側本体22の周りおよび上に圧着される。代替的に、円筒形リング32は、内側本体22に接着される。円筒形リング32は、本質的には、反磁性鉄を含む。いくつかの変形例では、円筒形リング32は、強磁性鉄、または、さらに広くは、反磁性体もしくは強磁性体を含む。円筒形リング32が周方向に規則正しい近位端部Pおよび遠位端部Dを有することが分かるであろう。
【００５０】
キャップ14について、図2および図3Aを用いて、ここでさらに詳細に説明する。キャップ14は、基部12の部材および配置に比較的類似した部材および配置を有する。
【００５１】
キャップ14は、内側本体34と、外側本体36と、を含む。内側本体34および外側本体36は、概ね円筒形の形状を有し、組み立てられたときにケース10の長手方向軸と一致する、長手方向軸(X)を有する。ケース10が組み立てられると、内側本体34および外側本体36の両方は、遠位端部Dにおける円形開口部と、近位端部Pにおける横断方向底部と、を有する。半径方向において、外側本体36の直径は、内側本体34の直径より大きい。したがって、外側本体36の半径方向寸法は、内側本体34の半径方向寸法より大きい。さらに、図2で見ることができるように、外側本体36は、長手方向軸(X)に関連して、内側本体34の長さより長い長さを有する。したがって、キャップ14の外側本体36は、内側本体34の軸方向寸法より大きい軸方向寸法を有する。
【００５２】
遠位端部Dに位置する開口部を画定する周方向エッジ上では、内側本体34は、半径方向外側に延びるフランジ38を含む。よって、フランジ38は、内側本体34上の軸方向端部位置にある。フランジ38は、4つのリブ40をさらに含み、これらのリブは、内側本体34の近位端部Pに向かって軸方向に延びる。各リブ40は、内側本体34の近位端部Pから軸方向に見ると、「V」字型を有する。
【００５３】
フランジ38の直径は、キャップ14が組み立てられたときに、フランジ38の半径方向外側表面が外側本体36の半径方向内側表面と接触するようになっている。したがって、内側本体34は、接着することによって外側本体36に固定される。このために、エッジが遠位開口部Dを画定する、内側本体34の周方向周辺部は、半径方向外側表面上に接着剤ビードを含む。
【００５４】
キャップ14は、近位端部Pおよび遠位端部Dに円形開口部を含む、中空の円筒形リング42も含む。円筒形リング42は、長手方向軸(X)を有し、内側本体34の周りに固定される。4つのリブ40は、円筒形リング42の軸方向止め具を形成する。
【００５５】
さらに、円筒形リング42は、内側本体34の周りおよび上に圧着される。代替的に、円筒形リング42は、内側本体34に接着される。円筒形リング42は、実質的に、反磁性鉄を含む。いくつかの変形例では、円筒形リング42は、強磁性鉄、または、さらに広くは、反磁性体もしくは強磁性体を含む。円筒形リング42が周方向に規則正しい近位端部Pおよび遠位端部Dを有することが分かるであろう。円筒形リング42は、円筒形リング42が外側本体36の半径方向内壁と内側本体34との間に配置されるように、内側本体34の半径方向外壁上に配置される。
【００５６】
遠位端部Dに位置する横断方向円形開口部のリム上において、キャップ14の外側本体36は、ケース10が閉位置にあるときに基部12の内側本体22の装飾的パターンを有する部材18を受容するための、2つの直径方向に対向する凹部37を含む。
【００５７】
よって、キャップ14の外側本体36の2つの凹部により、ケース10が閉位置にあるときに、基部12およびキャップ14の2つの相対位置が可能になる。これらの2つの位置は、長手方向軸(X)に関して対称である。代替的に、キャップ14の外側本体36により、ケース10が閉位置にあるときに、基部12およびキャップ14の1つまたは3つの相対位置が可能になる。この位置の数は、キャップ14の外側本体36の凹部の数と等しい。
【００５８】
ここで、ケース10が閉位置にあるときに基部12およびキャップ14の相対位置を維持する手段を説明する。
【００５９】
特に図2、図3A、図3B、および図4で見ることができるように、基部12およびキャップ14はそれぞれ、ここでは磁石の形態である、4つの永久磁化部材44を含む。図4では、基部12およびキャップ14のそれぞれの外側本体24、36が、永久磁化部材44を見せるように、長手方向軸(X)に沿って横にオフセットしていることに注意する。この構成は、ケース10が組み立てられて使用に適切であるときのケース10の構成ではない。これは、ケース10の動作をより良く理解するための図解である。
【００６０】
基部12の4つの永久磁化部材44は、軸方向ではフランジ28および円筒形リング32によって、そして半径方向ではリブ30によって定められた空間をあけて、周縁の周りに規則正しく配置されている。同様に、キャップ14の4つの永久磁化部材44は、軸方向ではフランジ38および円筒形リング42によって、そして半径方向ではリブ40によって定められた空間をあけて、周縁の周りに規則正しく配置されている。
【００６１】
よって、永久磁化部材44は、基部12の内側本体22によって支持された、ここではフランジ28である軸方向止め具手段と円筒形リング32との間に、軸方向に保持される。さらに、これら永久磁化部材44は、半径方向ではリブ30によって、反対の半径方向では内側本体22によって保持され、これら内側本体22は、永久磁化部材44を半径方向の位置で保持する手段を形成する。永久磁化部材44は、半径方向に内向きに内側本体22の半径方向外側表面に接して付けられ、リブ30に面して位置する。リブ30の半径方向内側表面は、永久磁化部材44の止め具を形成する。リブ30の「V」字型の2つのアームはそれぞれ、永久磁化部材44の止め具を形成する。よって、永久磁化部材44は、2つの周方向に連続するリブ30に当接する。同様に、リブ30は、2つの周方向に連続する永久磁化部材44と直接接触する。
【００６２】
キャップ14の永久磁化部材44は、同じように配置される。よって、それらは、キャップ14の内側本体34によって支持された、ここではフランジ38である軸方向止め具手段と円筒形リング42との間で、軸方向に保持される。さらに、これら永久磁化部材44は、半径方向ではリブ40によって、反対の半径方向では内側本体34によって保持され、これら内側本体34は、永久磁化部材44を半径方向の位置で保持する手段を形成する。永久磁化部材44は、半径方向に内向きに内側本体34の半径方向外側表面に接して付けられ、リブ40に面して位置する。リブ40の半径方向内側表面は、永久磁化部材44の止め具を形成する。リブ40の「V」字型の2つのアームはそれぞれ、永久磁化部材44の止め具を形成する。よって、永久磁化部材44は、2つの周方向に連続するリブ40に当接する。同様に、リブ40は、2つの周方向に連続する永久磁化部材44と直接接触する。
【００６３】
基部12またはキャップ14によって支持された永久磁化部材44は、直径方向に対向する対になっている。
【００６４】
ここで、図5を参照して、ケース10が閉位置にあるときに基部12およびキャップ14をそれらの相対位置に保持する永久磁化部材44間の相互作用を概略的に説明する。永久磁化部材44および円筒形リング32、42のみが図示されている。
【００６５】
基部12によって支持された2つの周方向に連続する永久磁化部材44は、相が逆である。これは、2つのうちの一方が、極が正である近位面Pと、極が負である遠位面Dと、を有し、もう一方が、極が負である近位面Pと、極が正である遠位面Dと、を有することを意味する。同様に、キャップ14によって支持された2つの周方向に連続する永久磁化部材44は、相が逆である。
【００６６】
図5で見ることができるように、基部12およびキャップ14は、ケース10が閉位置にあるとき、2つのそれぞれの位置を占めることができる。これらの2つの位置は、基部12によって支持された2つの永久磁化部材44の負極がキャップ14によって支持された2つの永久磁化部材44の正極に面している構成、および基部12によって支持された2つの永久磁化部材44の正極がキャップ14によって支持された2つの永久磁化部材44の負極に面している構成に、対応する。
【００６７】
よって、ケース10が閉位置にあるとき、基部12によって支持された永久磁化部材44の各々は、基部12によって支持された周方向に連続する永久磁化部材44の面と反対極性である面を有し、かつキャップ14によって支持された2つの永久磁化部材44に面する面と反対極性である面を有するように位置付けられる。
【００６８】
逆に、基部12の磁化された部材44の面がキャップ14によって支持された反対側の面と同じ極性を有するように、ユーザがキャップ14を位置付ける場合、同じ極性の面間の反発力と、反対極性の面間の引力とが、長手方向軸(X)を中心としてキャップ14に対する基部12の回転を引き起こし、その結果、基部12およびキャップ14は、前述したような相対位置に据え付けられる。この回転は、キャップ14の内側本体34の半径方向内側表面に係合するグリップ部材17の半径方向外側表面によって、さらにガイドされる。
【００６９】
さらに、この実施形態では反磁性鉄である、基部12およびキャップ14のうちの一方の円筒形リング32、42は、保持力が増大するように、もう一方の永久磁化部材44によって引き付けられる。
【００７０】
ここで、ケース10を組み立てる方法を説明する。
【００７１】
基部12の内側本体22および外側本体24が成型される。よって、内側本体22は、フランジ28と、リブ30と、を含む。次に、永久磁化部材44は、内側本体22の遠位端部Dから内側本体22に沿ってスライドさせられ、フランジ28の上で静止してリブ30によって半径方向外側に保持される。円筒形リング32は、次に、永久磁化部材44およびリブ30に長手方向においてもたれるまで、内側本体22の遠位端部Dからスライドさせられる。次に、エッジが近位開口部Pを画定する内側本体22の周方向周辺部の半径方向外側表面に、接着剤ビードが付けられる。次に、外側本体24は、内側本体22の遠位端部Dからスライドさせられ、その結果、フランジ28は、外側本体24の半径方向内側表面と接触する。よって、内側本体22は、外側本体24に接着される。
【００７２】
同じ方法が、キャップ14の組み立てに適用される。内側本体34および外側本体36が成型される。次に、永久磁化部材44は、内側本体34の近位端部Pから内側本体34に沿ってスライドさせられ、フランジ38の上で静止してリブ40によって半径方向外側に保持される。円筒形リング42は次に、永久磁化部材44およびリブ40に長手方向においてもたれるまで、内側本体34の近位端部Pからスライドさせられる。次に、エッジが遠位開口部Dを画定する内側本体34の周方向周辺部の半径方向外側表面に、接着剤ビードが付けられる。次に、外側本体36は、内側本体34の近位端部Pからスライドさせられ、その結果、フランジ38は、外側本体36の半径方向内側表面と接触する。よって、内側本体34は、外側本体36に接着される。
【００７３】
当然、本発明に対する多くの変形が、本発明の範囲から逸脱せずに行われ得る。
【００７４】
基部12およびキャップ14の内側本体22、34、およびそれぞれの外側本体24、36の外側形状は、例えば多角形または長円形の断面を有する、任意のタイプのものであってよい。さらに、この断面は、長手方向軸(X)に沿って変化し得る。例えば、断面は、近位端部Pでは多角形であり、遠位端部Dでは長円形であってよい。
【００７５】
異なるタイプの永久磁化部材44を使用することが可能である。
【００７６】
永久磁化部材44の形状および配置は、さまざまであってよい。
【００７７】
ケース10が閉位置にあるときに基部12およびキャップ14の相対位置を１つのみ可能にするように、2つのみの永久磁化部材44を基部12およびキャップ14に据え付けることも可能である。この場合、2つの永久磁化部材44は、好ましくは、互いに対して直径方向に対向する位置にある。
【００７８】
永久磁化部材44は、基部12およびキャップ14のそれぞれの内側本体22、34、またはそれぞれの円筒形リング32、42に接着され得る。
【符号の説明】
【００７９】
10  ケース
12  基部
14  キャップ
16  ペースト状物質のスティック
17  グリップ部材
22  内側本体
24  外側本体
28  フランジ
30  リブ
32  円筒形リング
34  内側本体
36  外側本体
37  凹部
38  フランジ
40  リブ
42  円筒形リング
44  永久磁化部材
D  遠位端部
P  近位端部
X  長手方向軸
【図１Ａ】
2019524372.tif 000003
【図１Ｂ】
2019524372.tif 000004
【図２】
2019524372.tif 000005
【図３Ａ】
2019524372.tif 000006
【図３Ｂ】
2019524372.tif 000007
【図４】
2019524372.tif 000008
【図５】
2019524372.tif 000009
【国際調査報告】
2019524372.tif 000010
2019524372.tif 000011
2019524372.tif 000012
2019524372.tif 000013